(57)【要約】【課題】人工股関節に使用するための人工股関節ステム及び寛骨臼カップを提供する。【解決手段】人工股関節に使用するための人工股関節ステム２０、７０、９０、１００、１１０、１３０、１５０、２００、２１０及び寛骨臼カップ１６０、１８０、１９０。股関節ステムは、ステム部２２、７２、１１２、１３５及びネック部２４、８０、１０４、１２０を含むコア３６、コアのステム部を実質的に被覆するポリマーマトリクス層３８及びポリマーマトリクス層を実質的に被覆する多孔性金属層４０を含むことができる。ポリマーマトリクス層はコアと多孔性金属層を接続し、既知の股関節ステムより骨の剛性により近い剛性を股関節ステムに与える。股関節ステム及び寛骨臼カップは、さらに、例えば女性患者の解剖学的構造など特定のタイプの患者の解剖学的構造においてより良い結果をもたらすための多数の改良を含む。【選択図】図１
2014014652.tif 000002
【特許請求の範囲】
【請求項１】
近位端（２８、７８）及び遠位端（３０）を有するステム部（２２、７２）と、前記近位端から突き出るネック部（２４、８０）と、を有し、
前記ステム部は内側／外側（ medial/lateral ）平面を形成し、
前記ネック部は、前記内側／外側平面に対して前方に（ anteriorly ）１３度から２５度までの第一の角度に方向付けられた長手軸（６８、７９）を有することを特徴とする、人工股関節ステム（２０、７０、９０）。
【請求項２】
前記ステム部が、さらに、コア（３６）と、該コアの少なくとも一部を被覆するポリマーマトリクス層（３８）と、該ポリマーマトリクス層を実質的に被覆する多孔性金属層（４０）と、を備えることを特徴とする、請求項１に記載の股関節ステム。
【請求項３】
前記ネック部が前記ステム部と一体的に形成されることを特徴とする、請求項１または２に記載の股関節ステム。
【請求項４】
さらに、実質的に球形のヘッド部が前記ネック部と一体的に形成されることを特徴とする、請求項１から３のいずれか一項に記載の股関節ステム。
【請求項５】
前記ネック部が前記ステム部とは別個のモジュール式コンポーネント（８０）を備え、前記ネック部が異なる第一の角度を有する複数のネック部（８０ａ、８０ｂ、８０ｃ）から選択されることを特徴とする、請求項１または２に記載の股関節ステム。
【請求項６】
さらに、実質的に球形でありかつ前記第一の軸に配置される中心を有するヘッド部（８４）が、前記第一の軸に対して前方に１度から２５度までの第二の角度で配置される第二の軸（８６）に沿って前記ネック部に接続されることを特徴とする、請求項１、２、３または５に記載の股関節ステム。
【請求項７】
前記ヘッド部が前記ネック部とは別個のモジュール式コンポーネント（８４）を備え、前記ヘッド部が異なる第二の角度を有する複数のヘッド部（８４ａ、８４ｂ、８４ｃ）から選択されることを特徴とする、請求項６に記載の股関節ステム。
【請求項８】
近位端（２８、７８）及び遠位端（３０）を有するステム部（２２、７２）と、
前記ステム部の前記近位端から突き出て第一の長手軸（６８、７９）を有するネック部（２４、８０）と、
実質的に球形であり前記第一の軸に沿って前記ネック部に接続されるヘッド部（８４）と、を含み、
前記ステム部は、前記ステム部を通過する内側／外側（ medial/lateral ）平面（６１、７６）を形成し、
前記ヘッド部は、その中心が前記第一の軸に対して前方に（ anteriorly ）１度から２５度までの第二の角度で配置される第二の軸（８６）に配置されることを特徴とする、人工股関節ステム（２０、９０）。
【請求項９】
前記第一の長手軸が前記内側／外側平面に対して前方に１３度から２５度までの第一の角度で配置されることを特徴とする、請求項８に記載の股関節ステム。
【請求項１０】
前記ステム部、前記ネック部及び前記ヘッド部が相互に一体的に形成されることを特徴とする、請求項８または９に記載の股関節ステム。
【請求項１１】
前記ネック部が前記ステム部とは別個のモジュール式コンポーネント（８０）を備え、前記ネック部が異なる第一の角度を有する複数のネック部（８０ａ、８０ｂ、８０ｃ）から選択され、かつ前記ヘッド部が前記ネック部とは別個のモジュール式コンポーネント（８４）を備え、前記ヘッド部が異なる第二の角度を有する複数のヘッド部（８４ａ、８４ｂ、８４）から選択されることを特徴とする、請求項８または９に記載の股関節ステム。
【請求項１２】
前記ステム部が、さらに、
コア（３６）と、
前記コアの少なくとも一部を被覆するポリマーマトリクス層（３８）と、
前記ポリマーマトリクス層を実質的に被覆する多孔性金属層（４０）と、を備える、請求項１から１１のいずれか一項に記載の股関節ステム。
【請求項１３】
近位端（２８、１１８）及び遠位端（３０）及び第一の近位／遠位長手軸を有するステム部（２２、１１２）と、
前記近位端から突き出るネック部（１０４、１２０）と、を含み、
前記ネック部は、前記第一の軸に対して９０度から１４５度までの第一の角度に方向付けられた第二の長手軸（１０２、１１６）を有することを特徴とする、人工股関節ステム（１００、１１０）。
【請求項１４】
前記ネック部が前記ステムと一体的に形成されることを特徴とする、請求項１３に記載の股関節ステム。
【請求項１５】
前記ネック部が前記ステム部とは別個のモジュール式コンポーネント（１２０）であり、前記ネック部が異なる第一の角度を有する複数のネック部（１２０ａ、１２０ｂ、１２０ｃ）から選択されることを特徴とする、請求項１３に記載の股関節ステム。
【請求項１６】
近位端（１３７）及び遠位端（１３３、１５２）を有するステム部（１３５）を含む人工股関節ステム（１３０、１５０）であって、
該ステムが、前記ステム部の前記遠位端が前記ステム部の内側／外側（ medial/lateral ）平面、及び前側／後側（ anterior/posterior ）平面のうち少なくとも１つに関して第一の幅を有する第一状態と前記ステム部の前記遠位端が前記内側／外側平面、及び前記前側／後側平面のうち少なくとも１つに関して第二の幅を有する第二状態との間で作動可能な遠位端固定メカニズムを有し、前記第二の幅が前記第一の幅より大きい、人工股関節ステム。
【請求項１７】
前記遠位端固定メカニズムが前記ステム部の半径方向に膨張可能な部分（１３８）を形成する少なくとも１つの膨張点（１４０）を前記ステム部に備えることを特徴とし、前記ステム部が前記第一状態のとき、前記半径方向膨張可能部が実質的に膨張しておらず、前記ステム部が第二状態のとき前記半径方向膨張可能部が少なくとも部分的に膨張している、請求項１６に記載の股関節ステム。
【請求項１８】
前記遠位端固定メカニズムが前記ステム部に膨張可能構造（１５５）及び少なくとも１つの通路を備え、前記少なくとも１つの通路を介して充填物質（１５６）を注入すると前記充填物質が前記膨張可能構造を膨張させ、前記ステム部が前記第一状態であるとき前記膨張可能構造が実質的に空であり、前記ステム部が前記第二状態であるとき、前記充填物質がその内部にあることにより前記膨張可能構造が少なくとも部分的に膨張している、請求項１６に記載の股関節ステム。
【請求項１９】
実質的に半球形のカップ部（１７０）及び前記カップ部内部に嵌められるライナ（１６６）を含む寛骨臼カップ（１６０）であって、前記ライナが実質的に半球形の座面（１６８）を含み、前記カップ部が比較的薄い可撓性の多孔性金属で作られることを特徴とする、寛骨臼カップ。
【請求項２０】
実質的に半球形の座面（１８８）を含むライナ（１８２）及び多孔性金属カップ部（１８６）を含む寛骨臼カップ（１８０）であって、該カップが前記ライナと前記多孔性金属カップ部との間に配置される中間層（１８４）を持ち、前記中間層がポリマーマトリクスで形成されることを特徴とする、寛骨臼カップ。
【請求項２１】
実質的に半球形の座面（１９６）を含むライナ（１９２）及び外側半球部を含むカップ部（１９４）を含む寛骨臼カップ（１９０）であって、前記カップ部が実質的に環形の負荷リブ（１９８）を持つことを特徴とする、寛骨臼カップ。
【請求項２２】
近位端（２８）がコア（３６）、該コアの少なくとも一部を被覆するポリマーマトリクス層（３６）及び該ポリマーマトリクス層を実質的に被覆する多孔性金属層（４０）を含み、遠位端（３０）がコア（３６）及び該コアを実質的に被覆する多孔性金属層（４０）を含むことを特徴とする、人工股関節ステム（２００）。
【請求項２３】
近位部（２１２）及び遠位部（２１４）を含む人工股関節ステム（２１０）であって、該股関節ステムが内側コア（３６）、多孔性金属外層（４０）及び前記遠位部に形成される細長いキャビティ（２３２）を有し、前記遠位部が可撓性であることを特徴とする、人工股関節ステム。
【請求項２４】
前記近位部が３０ｍｍから４５ｍｍまでの長さであり、前記遠位端が１００ｍｍから１３５ｍｍまでの長さであることを特徴とする、請求項２３に記載の股関節ステム。
【請求項２５】
前記近位部が実質的に補完的な丸味を帯びる外側（ lateral side ）（２２２）及び内側（ medial side ）（２２４）を含むことを特徴とする、請求項２３または２４に記載の股関節ステム。
【請求項２６】
前記近位部が前記股関節ステムの近位端に近づくにつれて各々外向きに広がる前側（ anterior side ）（２２６）及び後側（ posterior side ）（２２８）を含むことを特徴とする、請求項２３から２５のいずれか一項に記載の股関節ステム。
【請求項２７】
前記遠位部が前側／後側寸法（ posterior/ anterior dimension ）で１０ｍｍから１８ｍｍまでの幅及び内側／外側寸法（ medial/lateral dimension ）で１１ｍｍから１９ｍｍまでの幅を持つ遠位端（２３０）を含むことを特徴とする、請求項２３から２６のいずれか一項に記載の股関節ステム。
【発明の詳細な説明】
【技術分野】
【０００１】
本発明は近位大腿骨に埋め込むための股関節ステム及び寛骨臼に埋め込むための寛骨臼カップを含む、人工股関節インプラント・コンポーネントに関する。特に、本発明は、女性患者の解剖学的構造など特定のタイプの患者の解剖学的構造においてより良い結果を得られるように改良された形体を含む人工股関節ステム及び寛骨臼カップに関する。
【背景技術】
【０００２】
加齢または病気による劣化または外傷による傷害後に股関節の使用能力を回復するためまたは股関節の使用能力を増大するために、患者の股関節の一部または全部を置き換えるために整形外科用インプラントが一般的に使用される。股関節置換または股関節形成手術において、大腿骨頸及び大腿骨頭を含めて患者の大腿骨の一部を置き換えるために大腿骨コンポーネントが使用される。大腿骨コンポーネントは典型的には股関節ステムである。股関節ステムは、患者の大腿骨の準備済み大腿管内部に配置されるステム部を含む。ステム部は、骨セメントによりまたはプレス嵌めされた後にステム部の多孔性コーティングの中へ周囲の組織が骨性内植することにより固定される。股関節ステムは、また、人工大腿骨頭を受け入れるのに適するネック部も含む。大腿骨頭は、患者の寛骨臼に準備される凹部内部に受け入れられる寛骨臼カップなど人工寛骨臼コンポーネント内部に受け入れられる。
【０００３】
既知の１つの股関節ステムは、コバルト・クロム・モリブデン合金またはチタンで形成されるコア、及び小さい金属ビーズのマトリクス体または金網の形式の多孔性表面層を含む。典型的には、コア及び多孔性表面層を高温に加熱して多孔性表面層及びコアを溶融、融解またはその境界面に沿って相互に付着させることにより、多孔性表面層はコアに焼結される。米国特許第6,395,327号、6,514,288号及び6,685,987号（各々、本発明の譲受人に譲渡され、参照により本出願に組み込まれる）は、上記のタイプの股関節ステムの疲労強度及びコアと多孔性表面層との間の接続を強化するための様々な方法を開示している。
【発明の概要】
【発明が解決しようとする課題】
【０００４】
本発明は、人工股関節に使用するための人工股関節ステム及び寛骨臼カップを提供する。股関節ステムは、ステム部及びネック部を有するコア、コアのステム部を実質的に被覆するポリマーマトリクス層、及びポリマーマトリクス層を実質的に被覆する多孔性金属層を含むことができる。ポリマーマトリクス層は、コアと多孔性金属層とを接続し、既知の股関節ステムより良く骨の剛性を模倣する剛性を股関節ステムに与える。股関節ステム及び寛骨臼カップは、さらに、例えば女性患者の解剖学的構造など特定のタイプの患者の解剖学的構造の場合により良い結果をもたらす多数の改良を含む。
【課題を解決するための手段】
【０００５】
本発明の１つの形態において、本発明は、近位端及び遠位端を有するステム部及び近位端から突き出るネック部を含み、ステム部は内側／外側平面（ medial/lateral plane ）を形成する人工股関節ステムを提供する。ネック部はこれに沿う長手軸を有し、長手軸は内側／外側平面に対して前方に（ anteriorly ）１３度から２５度までの第一の角度に方向付けられる。ステム部は、コア、コアの少なくとも一部を被覆するポリマーマトリクス層、及びポリマーマトリクス装置を実質的に被覆する多孔性金属層を含むことができる。ステム部と一体的にネック部を形成することができる。ヘッド部を実質的に球形にすることができ、ネック部と一体的に形成することができる。ネック部はステム部とは別個のモジュール式コンポーネントを含むことができ、異なる第一の角度を有する複数のネック部からネック部を選択することができる。ヘッド部を実質的に球形にすることができ、ヘッド部は第一軸に配置される中心を有し、ヘッド部は第一軸に対して前方に１度から２５度までの第二の角度で配置される第二軸に沿ってネック部に接続される。ヘッド部はネック部とは別個のモジュール式コンポーネントを含むことができ、異なる第二の角度を有する複数のヘッド部からヘッド部を選択することができる。
【０００６】
本発明の別の形態において、本発明は、近位端及び遠位端を有するステム部、ステム部の近位端から突き出てかつ第一の長手軸を有するネック部、及び実質的に球形でありかつ第一軸に沿ってネック部に接続されるヘッド部を含み、ステム部は内側／外側平面を形成する人工股関節ステムを提供する。ヘッド部は第一軸に対して前方に１度から２５度までの第二の角度で配置される第二軸に配置される中心を有する。第一軸は内側／外側平面に対して前方に１３度から２５度までの第一の角度で配置される。ステム部、ネック部及びヘッド部を相互に一体的に形成することができる。ネック部は、ステム部とは別個のモジュール式コンポーネントを含むことができ、異なる第一の角度を有する複数のネック部からネック部を選択することができる。また、ヘッド部はネック部とは別個のモジュール式コンポーネントを含むことができ、異なる第二の角度を有する複数のヘッド部からヘッド部を選択することができる。ステム部はコア、コアの少なくとも一部を被覆するポリマーマトリクス層及びポリマーマトリクス層を実質的に被覆する多孔性金属層を含むことができる。
【０００７】
本発明のさらに別の形態において、本発明は、近位端及び遠位端及び第一の近位／遠位長手軸を有するステム部及び近位端から突き出るネック部を含む人工股関節ステムを提供する。ネック部はこれに沿う第二長手軸を有し、第二長手軸は第一軸に対して９０度から１４５度までの第一の角度に方向付けられる。ステム部と一体的にネック部を形成することができる。ネック部をステム部とは別個のモジュール式コンポーネントとすることができ、異なる第一の角度を有する複数のネック部からネック部を選択することができる。
【０００８】
本発明の別の形態において、本発明は近位端及び遠位端を有するステム部及び遠位端固定メカニズムを含む人工股関節ステムを提供する。遠位端固定メカニズムは、ステム部の遠位端がステム部の内側／外側平面、及び前側／後側平面（ anterior/posterior plane ）のうち少なくとも１つに関して第一の幅を有する第一状態とステム部の遠位端が内側／外側平面、及び前側／後側平面のうち少なくとも１つに関して第二の幅を有する第二状態との間で作動可能であり、第二の幅は第一の幅より大きい。遠位端固定メカニズムは、ステム部に少なくとも１つの膨張点を含み、ステム部の半径方向に膨張可能な部分を形成する。ステム部が第一状態のとき、半径方向膨張可能部分は実質的に膨張しておらず、ステム部が第二状態のとき、半径方向膨張可能部分は少なくとも部分的に膨張している。遠位端固定メカニズムはステム部に膨張可能構造及び少なくとも１つの通路を含むことができ、少なくとも１つの通路を介して充填物質を注入すると、充填物質は膨張可能構造を膨張させ、ステム部が第一状態のとき膨張可能構造は実質的に空であり、ステム部が第二状態のとき膨張可能構造は充填物質がその内部にあることにより少なくとも部分的に膨張している。
【０００９】
本発明の別の形態において、本発明は、比較的薄く可撓性のある多孔性金属で作られる実質的に半球形のカップ部及びカップ部内部に嵌められるライナを含む寛骨臼カップを提供する。ライナは実質的に半球形の座面を含む。
【００１０】
本発明のさらに別の形態において、本発明は、実質的に半球形の座面を含むライナ、多孔性金属カップ部及びライナと多孔性金属カップとの間に配置される中間層を含む寛骨臼カップを提供する。中間層はポリマーマトリクスで形成される。
【００１１】
本発明の別の形態において、本発明は、実質的に半球形の座面を含むライナ及び実質的に環形の負荷リブを含む外側半球部を含むカップ部を含む寛骨臼カップを提供する。
【００１２】
本発明の別の形態において、本発明は、コア、コアの少なくとも一部を被覆するポリマーマトリクス層及びポリマーマトリクス層を実質的に被覆する多孔性金属層を含む近位端、及びコア及びコアを実質的に被覆する多孔性金属層を含む遠位端を含む、人工股関節ステムを提供する。
【００１３】
本発明のさらに別の形態において、本発明は、近位端及び遠位端、内側コア、多孔性金属外層、及び遠位端に形成される細長いキャビティを含む人工股関節ステムを提供する。遠位端は可撓性である。近位部の長さは例えば３０ｍｍから４５ｍｍまでの間であり、遠位部の長さは例えば１００ｍｍから１３５ｍｍまでの間である。近位部は実質的に補完的な丸みを帯びる外側（ lateral side ）及び内側（ medial side ）を含むことができる。近位部は、それぞれ股関節ステムの近位端に近づくにつれて外向きに広がる前側（ anterior side ）及び後側（ posterior side ）を含むことができる。遠位部は、前側／後側寸法（ posterior/ anterior dimension ）で１０ｍｍから１８ｍｍまでの幅、及び内側／外側寸法（ medial/lateral dimension ）で１１ｍｍから１９ｍｍまでの幅を有する遠位端を含むことができる。
【００１４】
本開示の上述の及びその他の特徴及びこれを達成するための方法は、添付図面と一緒に以下の実施形態の説明を参照することによりさらに明らかになりより良く理解できる。
【図面の簡単な説明】
【００１５】
【図１】本発明に係る股関節ステムの第一の斜視図である。
【図２】図１の股関節ステムの第二の斜視図である。
【図３】図１及び２の股関節ステムのコアの第一の斜視図である。
【図４】図１及び２の股関節ステムのコアの第二の斜視図である。
【図５】図２の線５−５に沿って見た股関節ステムの断面図である。
【図６】股関節ステムの近位端の側面図であり、ネック部輪郭及び傾斜表示形体を示している。
【図７】股関節ステムの近位端の斜視図であり、ネック部輪郭を示している。
【図８】股関節ステムの近位端の側面図であり、大腿骨頭が寛骨臼カップ内部に嵌められ、寛骨臼カップが寛骨臼内部に配置されている状態で示されており、その間の関節運動が比較的大きい角度であることを示している。
【図９】股関節ステムの上面斜視図であり、それぞれ実線及び点線で患者に対して股関節ステムの中立位置及び前傾位置を示している。
【図１０】股関節ステムのコアの近位端の斜視図であり、その中の湾曲溝を示している。
【図１１】股関節ステムのコアの遠位端の一部の斜視図であり、隆起の周りの複数の窪み及びコアのステム部の複数の凸部を含むコアの遠位隆起を示している。
【図１２】各々一体的ステム部及びネック部を有するいくつかの股関節ステムの近位端略図であり、ネック部の可能な前傾角度の範囲を示している。
【図１３】股関節ステム部及び股関節ステム部に使用できる複数のモジュール式前傾ネック部を含む、モジュール式股関節ステムシステムのコンポーネントの近位端図である。
【図１４】一体的ステム部及びネック部及び股関節ステムに使用できる複数のモジュール式前傾大腿骨ヘッド部を含むモジュール式股関節ステムシステムのコンポーネントの近位端図である。
【図１５】図１４の線１５−１５に沿って見たモジュール式大腿骨ヘッド部の端面図である。
【図１６】股関節ステムシステムのコンポーネントの部分的断面分解近位端図であり、股関節ステム部、モジュール式前傾ネック部及びモジュール式前傾大腿骨ヘッド部を示している。
【図１７】図１６のモジュール式股関節ステムシステムのコンポーネントの部分的断面組立近位端図である。
【図１８】各々一体的ステム部及びネック部を有するいくつかの股関節ステムの前面／後面略図であり、ネック部の可能な頸／幹角度の範囲を示している。
【図１９】モジュール式ステム部に使用できる様々な頸／幹角度を有する複数のモジュール式骨頸コンポーネントを含むモジュール式股関節ステムシステムのコンポーネントの部分的断面前面／後面図である。
【図２０】大腿骨骨幹内にある股関節ステムの一部の断面図であり、非膨張状態の遠位端固定メカニズムの１つの実施形態を示している。
【図２１】図２０の股関節ステムの一部の断面図であり、膨張状態の遠位端固定メカニズムを示している。
【図２２】大腿骨骨幹内にある股関節ステムの一部の断面図であり、非膨張状態の遠位端固定メカニズムの別の実施形態を示している。
【図２３】図２２の股関節ステムの一部の断面図であり、さらに、膨張状態の遠位端固定メカニズムを示している。
【図２４】可撓性の寛骨臼カップ及びライナ及び患者の骨盤部の分解図である。
【図２５】別の実施形態に従った寛骨臼カップの断面図である。
【図２６】別の実施形態に従った寛骨臼カップの部分的断面図である。
【図２７】さらに別の実施形態に従った股関節ステムの断面図である。
【図２８】さらに別の実施形態に従った股関節ステムの前面／後面図であり、後大腿骨の一部を影で示している。
【図２９】図２８の股関節ステムの内側／外側図であり、後大腿骨の一部を影で示している。
【００１６】
同じ参照符号はいくつかの図面を通じて同じ部品を示す。本明細書において示される例は実施形態の例であり、例示は決して本発明の範囲を限定するものとして解釈されないものとする。
【発明を実施するための形態】
【００１７】
図１〜５を参照すると、一般にステム部２２及び一般にステム部２２から鈍角に伸びかつ先細大腿骨頭嵌め込み部品を含むネック部２４を含む、本発明に係わる人工股関節ステム２０が図示されている。股関節ステム２０のステム部２２は、股関節ステム２０を患者の大腿骨内に固定するために患者の大腿骨の準備済み大腿管内に受け入れられる。下で論じる通り、大腿骨頭コンポーネントは大腿骨頭嵌め込み部品２６に被せて嵌められ、患者の寛骨臼の準備済み凹部内に配置される寛骨臼カップなど人工寛骨臼コンポーネント内部に受け入れられ、それにより関節式に接続される人工股関節が得られる。股関節ステム２０は、さらに、近位端２８、遠位端３０、外側３２、内側３４並びに股関節ステム２０が患者の右大腿骨に使用されるか左大腿骨に使用されるかに応じて対向する前面及び後面を形成する。
【００１８】
特に図３〜５を参照すると、股関節ステム２０は、一般に、ステム部２２及びネック部２４を形成する基材またはコア３６及び図５から分かる通りコアのステム部を実質的に被覆するポリマーマトリクス層３８、及びポリマーマトリクス層３８を実質的に被覆する多孔性金属層４０を含む。ポリマーマトリクス層３８及び多孔性金属層４０はコア３６のステム部２２の実質的に全てを被覆するか、または希望に応じてその選択された部分のみを被覆することができる。１つの実施形態において、ステム部は、一般に近位端２８から遠位端３０まで伸びる長さＬ（図１）を持ち、１つの実施形態において、それぞれの端より約７.６ｍｍ（０.３インチ）手前で止まる。多孔性金属層４０は、長さＬの約１０、２０、３０％からまたはその７０、８０、９０または９５％にわたって長さＬに沿って伸びる。１つの実施形態において、多孔性金属層４０はステム部２２に沿ってその長さの約３３％を被覆する。別の実施形態において、多孔性金属層４０はステム部２２の近位端２８の約３３％を被覆する。すなわち中間被覆（ midcoat ）多孔性ステムである。
【００１９】
例えば鍛造または鋳造の後に要求される形状または輪郭を得るために機械加工によりコバルト・クロム・モリブデン合金またはチタン合金からコア３６を作ることができる。例えばポリエーテルエーテルケトン（ＰＥＥＫ）など不活性ポリアリルエーテルケトン（ＰＡＥＫ）ポリマーからポリマーマトリクス層３８を作ることができる。多孔性金属層４０は例えばチタンファイバの金網であり、または金属ビーズのマトリクス体または例えばインディアナ州ウォルソーの Zimmer，Inc．の Trabecular Metal（登録商標）に従って生産される他の多孔性金属構造である。
【００２０】
下記の通り股関節ステム２０を作ることができる。まず、コアを鍛造し、コア３６の要求される形状または輪郭を形成するために鍛造後コア３６を機械加工する。表面を充分に粗くするためにコア３６を砂ブラストし、その後射出成形時にコア３６全体にポリマーを流れ易くするためにこれを加熱する。その後、多孔性金属層内部にコア３６のステム部２２を配置してコア３６のステム部２２と多孔性金属層４０との間に空隙を設けた状態で射出成形機内部にコア３６を配置する。その後、適切なゲートを介してコア３６と多孔性金属層４０との間の空間にポリマーマトリクス層３８を注入すると、ポリマーマトリクス層３８は多孔性金属層４０の中にまた溝５２、窪み５６、凸部５８及び（または）平坦部を通ってコア３６のステム部２２の表面へ浸透する。ポリマーマトリクス層３８が冷却したら、多孔性金属層４０はコア３６のステム部２２にしっかりと接着または固定される。多孔性金属層４０を付着させるためにコア３６が焼結工程を経ず、それによりコア３６の疲労強度を維持するので有利である。
【００２１】
図６〜８を参照すると、股関節ステム２０のネック部２４は、図８に示すように、人工股関節において寛骨臼コンポーネントに対して股関節ステム２０の関節運動を増大することができる輪郭を持つ。図６及び７に示すように、股関節ステム２０のネック部２４はステム部２２と大腿骨頭嵌め込み部品２６との間に伸びるネック区分４２を含む。ネック区分４２は比較的薄いまたは細い輪郭を持ち、そのかなりの部分に沿って大腿骨頭嵌め込み部品２６の最大直径より小さい直径を有する。特に、ネック区分４２はその周りに複数の波形凹部４４を含むことができ、機械加工によりコア３６の元々の鍛造品から材料を削除することによりこの凹部を形成することができる。図８に示すように、ネック区分４２の薄いまたは細い輪郭により、人工大腿骨ヘッド部４３がステム２０の嵌め込み部品２６に被せて嵌められ、かつ寛骨臼に準備される凹部内に配置される寛骨臼カップ４６など図８に示される寛骨臼コンポーネント内部に入れられるとき、人工股関節において寛骨臼コンポーネントに対して股関節ステム２０の関節運動の角度を増大することが可能になる。また、図２及び４に示すように、股関節ステム２０のコア３６のネック部２４はその近位端２８に器具嵌め合い部品４７を含むことができ、股関節ステム２０を患者の大腿骨の準備済み大腿骨管の中へ押し込む際に役立つように器具嵌め合い部品４７の内部に器具（図示せず）を係合させることができる。
【００２２】
図６及び７を参照すると、股関節ステム２０のネック部２４は傾斜表示形体４８も含む。傾斜表示形体はこの図において股関節ステム２０のネック部２４の内側３４から突き出る隆起または突起として示されている。下で説明するように、傾斜表示形体４８は要求される傾斜または整列（ alignment ）に従って外科医が股関節ステム２０を配置するのを助けるために股関節ステム２０の埋め込み時に外科医が触れることのできる股関節ステム２０の触覚用形体である。本発明の譲受人に譲渡され参照により本出願に組み込まれる米国特許第6,676,706号は、「開かない」すなわち最小限の切開を伴う全股関節形成手術を実施するための方法を開示している。前記の方法において、寛骨臼カップを受けるための凹部または座を寛骨臼に準備するために小さい前部切開がなされ、寛骨臼カップが前部切開部を通して寛骨臼内部に挿入され、この内部に配置される。また、大腿骨を準備し股関節ステム２０など股関節ステムを受け入れるために小さい後部切開もなされ、大腿骨の準備済み大腿骨管内部に股関節ステムが配置される。このようなまたはその他の最小限の切開を伴う手術時に、外科医は準備済みの大腿骨管への股関節ステムの挿入を直接見ることはできない。または前部切開部を通して外科医はこれを部分的にしか見ることができない。
【００２３】
図９を参照すると、後部切開部を通して準備済み大腿骨管の中へ股関節ステム２０を挿入する際、外科医は、例えば図９において点線で示される前傾整列（ anteversion alignment ）に股関節ステム２０を配置するために前部切開部から外科医の指を挿入することにより傾斜表示要素４８の突起５０に触れることができる。この整列において、股関節ステム２０のネック部２４は中立傾斜整列すなわち図９において実線で示される直線内側／外側整列からステム部２２に対して前方に約１２°から１４°回転する。また、外科手術によっては、外科医は、股関節ステム２０を配置するために準備済み大腿骨の内側けづめ（ medial calcar ）に切削される１つまたはそれ以上の溝に対して相対的に傾斜表示要素４８の突起５０を触覚で整列させることができる。必要であれば、外科医は前傾整列以外の位置に股関節ステム２０を配置するためにも傾斜表示要素４８の突起５０を使用することができる。このように、傾斜表示要素４８の突起５０は、最小限の切開を伴う股関節形成手術時に股関節ステム２０を直接見ることなく要求される整列に従って外科医が股関節ステム２０を配置できるようにするので有利である。
【００２４】
傾斜表示形体４８は本出願においては隆起または突起５０として示されているが、股関節ステム２０のネック部２４の内側３４または股関節ステム２０のネック部２４の他の部分の凹部、一群の凹部または凸部または一群の凸部など他の触覚的要素を使用することができる。
【００２５】
図１０及び１１を参照すると、コア３６は、コア３６とポリマーマトリクス層３８との間の機械的相互接続を強化するための複数の形体を含む。図１０に示すように、コア３６のステム部２２の近位端２８は、その前面及び後面のうち一方またはその両方に全体的に「キャンディ棒」形または「数字の７」形の湾曲溝５２を含む。股関節ステム２０の製造時に、ポリマーマトリクス層３８の材料はコア３６と多孔性金属層４０との間の空間の中に注入され、ポリマーマトリクス層３８の材料は溝５２の中に流れ込んでこれを実質的に満たして、材料が硬化したときコア３６とポリマーマトリクス層３８との間に頑丈な機械的相互接続体を形成する。機械的相互接続体は、股関節ステム２０が股関節に使用されるとき、特に多孔性金属層４０が周囲の大腿骨組織に実質的に融合した後、コア３６に加えられる捻り荷重またはその他の荷重に反応する回転運動などコア３６とポリマーマトリクス層３８との間の相対的運動に抵抗する。
【００２６】
図１１を参照すると、コア３６の遠位端３０は準備済み大腿骨管の中へ股関節ステム２０を挿入するための剛性の先端面となる隆起５４を含む。隆起５４は、また、その円周に沿って形成される複数の窪み５６を含む。股関節ステム２０の製造時に、ポリマーマトリクス層３８の材料はコア３６と多孔性金属層４０との間の空間に注入され、窪み５６の中へ流れ込みこれを実質的に満たして、材料が硬化したときコア３６とポリマーマトリクス層３８との間に頑丈な機械的相互接続体を形成する。この機械的相互接続体も、また、股関節ステム２０が埋め込まれた後コア３６に対する捻り荷重またはその他のタイプの荷重に反応する相対的回転運動などコア３６とポリマーマトリクス層３８との間の相対的運動に抵抗する。
【００２７】
さらに図１１を参照すると、コア３６のステム部２２は、さらに、凸部５８及び平坦部６０または例えば鍛造または鍛造後機械加工によりコア３６に形成される溝、キャビティ、穴、窪み、突出、隆起、突起またはその他の凸状または凹状の形体などコア３６とポリマーマトリクス層３８との間の機械的相互接続を強化するための形体を含むことができる。凸部５８及び平坦部６０はコア３６に沿って長手方向に伸び、上述のようなコア３６に加えられる捻り荷重及び（または）その他のタイプの荷重に反応するコア３６とポリマーマトリクス層３８との間の相対的回転運動など相対的運動に抵抗する。
【００２８】
下でさらに詳しく述べるように、本発明の発明者は、女性の身体構造など特定のタイプの患者の解剖学的構造により良い結果をもたらすために、股関節ステム及び寛骨臼カップに対する多数の改良を開発した。
【００２９】
２００４年１月１３日に発行された米国特許第6,676,706号、２００５年３月１日に発行された米国特許第6,860,903号、２００５年１０月１１日に発行された米国特許第6,953,480号、２００６年１月３１日に発行された米国特許第6,991,656号、２００４年８月３０日に提出された放棄済み米国特許出願第10/929,736号、２００４年９月２８日に提出され現在係属中の米国特許出願第10/952,301号、２００５年９月２６日に提出され現在係属中の米国特許出願第11/235,286号、及び２００５年４月１３日に提出され現在係属中の米国特許出願第11/105,080号（全て、「最小限の切開を伴う全股関節形成を実施するための方法及び装置」と題し、全て本出願の譲受人に譲渡され、その開示は参照により本出願に組み込まれる）に記載された外科技術に従って、本出願において説明される股関節ステム及び寛骨臼カップを埋め込むことができる。
【００３０】
既知の股関節ステムは、一般に股関節ステムのネック部と解剖学上の内側／外側平面との間に例えば１度から１２度までの前傾角度を持つ。本発明の発明者は、多くの患者、特に女性患者の場合、股関節ステムのネック部と解剖学上の内側／外側平面との間の前傾角度及び（または）股関節ステムの大腿骨ヘッド部とネック部との間の前傾角度が大きいとより良い解剖学的利点が得られることを発見した。
【００３１】
図１２を参照すると、相互に一体的に形成されるステム部２２及びネック部２４を含む股関節ステム２０の近位端２８の上面図が示されている。典型的な既知の股関節ステムは、図１２に点線で示される大腿骨頭嵌め込み部品２６を持つネック部２４ａを含み、その中心長手軸６８ｃは内側／外側平面６１と一致し整列する。すなわち、ネック部２４ａは、解剖学上の内側／外側平面６１に対して前方に約０°傾斜するので、中立傾斜を持ち、前傾を持たない。股関節ステムはその近位端２８に器具嵌め合い部品４７を含み、患者の大腿部の準備済み大腿骨管の中へ股関節ステム２０を押し込む際に役立てるために、器具嵌め合い部品内部に器具（図示せず）を係合させることができる。嵌め合い部品４７は図面全体を通じて内側／外側平面６１とネック部の中心長手軸との間の交差点に示されているが、準備済み大腿骨管の中へ股関節ステム２０を押し込む際に役立てるために、嵌め合い部品４７を股関節ステム２０の任意の場所に配置することができる。しかし、図示すように、嵌め合い部品４７は各ネック部の中心長手軸との交差面６１にとって便利な場所となる。
【００３２】
前傾を大きくし易くするために、股関節ステム２０は、解剖学上の内側／外側平面６１に対して傾斜するネック部２４を含むことができる。例えば、股関節ステム２０は図１２において実線により前傾整列で示されており、大腿骨頭嵌め込み部品２６を持つネック部２４ｃは中立傾斜すなわち直線内側／外側整列からステム部２２に対して前方に約２５°傾斜している。ネック部２４ｃの中心長手軸６８ｃは内側／外側平面６１との間に２５°の角度を成す。別の実施形態において、股関節ステム２０は図１２において点線で示される大腿骨頭嵌め込み部品２６を持つネック部２４ｂを含み、ネック部は中立傾斜整列からステム部２２に対して前方に２０°傾斜する。すなわちネック部２４ｂの中心長手軸６８ｂは内側／外側平面６１との間に２０°の角度を成す。外科医が患者固有の解剖学的構造に一致する要求される前傾整列を持つようにシステムに含まれる複数の股関節ステム２０の中から股関節ステム２０を選択できると有利である。内側／外側平面６１に対して０°から２５°またはそれ以上までの角度で傾斜するネック部２４を持つように前傾の角度を選択することができる。特に、例えば１３°、１４°または１６°程度の小さい角度または２１°、２３°または２５°程度の大きい角度またはその間の任意の角度の相対的前傾角度を有する股関節ステムを含むシステムにおいては複数の股関節ステムから股関節ステムを選択することができる。特に多くの女性患者は、既知の股関節ステムシステムが提供するものより大きい角度の解剖学上の内側／外側平面に対するネック部２４の前傾整列を必要とするかも知れない。上述の通り、ネック部と内側／外側平面との間の前傾角度が大きくなると、一部の女性患者を含めて特定の患者にとってより良い解剖学的利点をもたらすことができる。
【００３３】
図１３を参照すると、モジュール式股関節ステムシステムのコンポーネントの上面図が示されている。図には別の股関節ステム７０のステム部７２の近位端７８が示されているが、下で説明する点を除けば、股関節ステム７０及びステム部７２は上述の図１〜５の股関節ステム２０及びネック部２２と実質的に同様である。ステム部７２の近位端７８は複数のモジュール式ネック部８０から選ばれた１つと噛み合い係合するために先細凹部７４を含む。各モジュール式ネック部８０は組立て時に凹部７４と噛み合うために先細嵌め込み部品を含む。各モジュール式ネック部８０は、また、ネック部８０とステム部７２との間の回転運動を防止するために、ステム部７２の股関節ステム７０の回転防止形体（凹部７４の溝８３として図示される）と係合するために任意の別の回転防止形体（キー８１として図示される）を含むことができる。または、各モジュール式ネック部８０及びステム部７２は回転を防止するためにその間に卵形係合形状を備えることができる。実質的に球形の大腿骨ヘッド部４３を図１３に示すように各モジュール式ネック部８０と一体的に形成するか、または各モジュール式ネック部８０を別個に形成されるモジュール式大腿骨ヘッド部と結合し、下で説明するように例えば先細穴／嵌め込み接続を介してモジュール式ネック部８０に取り付けられる。
【００３４】
各ネック部８０は内側／外側平面７６により形成される中立傾斜からステム部７２に対して前方に傾斜する整列で配置される。例えば、図１３に示すように、モジュール式ネック部８０ａを内側／外側平面７６に対して前方に約１５°傾斜させることができる。すなわち、モジュール式ネック部８０ａの中心長手軸７９ａは平面７６との間に１５°の角度を成す。別の実施形態においては、モジュール式ネック部８０ｂを内側／外側平面７６に対して前方に約２０°傾斜させることができる。すなわち、モジュール式ネック部８０ｂの中心長手軸７９ｂは平面７６との間に２０°の角度を成す。さらに別の実施形態においては、モジュール式ネック部８０ｃを内側／外側平面７６に対して前方に約２５°傾斜させることができる。すなわち、モジュール式ネック部８０ｃの中心長手軸７９ｃは平面７６との間に角度２５°を成す。モジュール式システムにおいては、複数のネック部８０を提供することができる。この場合、特定のモジュール式ネック部８０の中心長手軸７９と内側／外側平面７６との間の前傾角度は例えば約０°から２５°またはそれ以上までであり、前傾角度は例えば１３°、１４°または１６°程度の小さい角度または２１°、２３°または２５°程度の大きい角度またはその間の任意の角度である。
【００３５】
図１４を参照すると、別のモジュール式システムのコンポーネントが示されている。このシステムにおいて、股関節ステム２０のネック部２４はステムと一体的に形成され、複数のモジュール式大腿骨ヘッド部８４と一緒に図示されている。上述の通り、ネック部２４を要求される前傾整列で配置することができる。例えば、図１２のネック部２４ａ、２４ｂ、２４ｃと同様、ネック部を内側／外側平面６１からステム部２２に対して前方に約１５°傾斜させることができる。すなわちネック部２４の中心長手軸６８は内側／外側平面６１との間に１５°の角度を成す。各モジュール式大腿骨ヘッド部８４は、ネック部２４の大腿骨頭嵌め込み部品２６と噛み合い係合するための先細凹部８８を含む。各モジュール式大腿骨ヘッド部８４は、また、ネック部２４と各大腿骨ヘッド部８４との間の回転運動を防止するために、ネック部２４の回転防止形体（大腿骨頭嵌め込み部品２６のキー８５として示される）と係合するための任意の別の回転防止形体（溝８７として示される）を含む。または、各モジュール式大腿骨ヘッド部８４及びネック部２４は、回転防止のためにその間に卵形係合形状を備えることができる。下で説明するように、各モジュール式大腿骨ヘッド部８４自体が股関節ステム２０のネック部２４に対して前傾する。
【００３６】
特に、各モジュール式大腿骨ヘッド部８４の凹部８８は中心軸８６を形成し、この中心軸は、各大腿骨ヘッド部８４の凹部８８が大腿骨ヘッド部８４の中心に対して偏心となるように、大腿骨ヘッド部８４の中心及びネック部２４の中心軸６８から片寄る。各モジュール式大腿骨ヘッド部８４が組立て時に中心長手軸６８から片寄るように、中心軸８６をネック部２４の中心長手軸６８に対して前方に傾斜させることができる。例えば、モジュール式大腿骨ヘッド部８４ａを長手軸６８に対して前方に約５°傾斜させることができる。すなわち、大腿骨ヘッド部８４ａの中心軸８６ａは軸６８との間に５°の角度を成す。別の実施形態において、大腿骨ヘッド部８４ｂを長手軸６８に対して前方に約１０°傾斜させることができる。すなわち、大腿骨ヘッド部８４ｂの中心軸８６ｂは軸６８との間に１０°の角度を成す。さらに別の実施形態において、大腿骨ヘッド部８４ｃを長手軸６８に対して前方に約１５°傾斜させることができる。すなわち、大腿骨ヘッド部８４ｃの中心軸８６ｃは軸６８との間に１５°の角度を成す。モジュール式システムにおいては、複数の大腿骨ヘッド部８４を提供することができる。このシステムにおいて、中心長手軸６８と大腿骨ヘッド部の軸８６との間の角度を約１°から２５°またはそれ以上の角度まで変動させることができる。特に、１°、３°または５°程度の小さい角度及び２１°、２３°または２５°程度の大きい角度またはその間の任意の角度とすることができる。上述の通り、大腿骨ヘッド部とネック部との間の前傾が大きくなると、一部の女性患者を含めて特定の患者にとってはより良い解剖学的利点をもたらすことができる。
【００３７】
図１５を参照すると、ネック部２４の中心長手軸６８（図１４）及び大腿骨ヘッド部８４ａの凹部８８の中心軸８６ａを含む、図１４の線１５−１５に沿って見たモジュール式大腿骨ヘッド部８４ａの図が示されている。図１５に示すように、モジュール式オフセット大腿骨ヘッド部８４ａを提供して股関節ステム２０の前傾の量を増大するために、軸８６ａは軸６８から片寄る。すなわち、軸６８とは同軸ではない。軸８６ａと６８のずれは、図１５の左側と比べて右側において大腿骨ヘッド部８４ａの質量を増大させ、それにより、前傾量を増加して、股関節ステムの性能を強化する。大腿骨ヘッド部８４とネック部２４との間に片寄りが必要なかったら、軸６８はモジュール式大腿骨ヘッド部８４の中心軸８６と一致することになる。
【００３８】
図１６及び１７には、モジュール式ネック部及びモジュール式大腿骨ヘッド部を含むモジュール式股関節ステムシステムのコンポーネント例が示されている。図１６及び１７には、下に説明されることを除いて上述の股関節ステム２０（図１〜５）及び股関節７０（図１３）と実質的に同様のモジュール式股関節ステム９０の近位端が示されている。図１６及び１７に示されるモジュール式股関節ステムシステムは上述の図１３及び１４に示されるシステムのモジュール性を兼ね備える。股関節ステム９０は先細凹部８８を有するモジュール式大腿骨ヘッド部８４を含むことができる。組立て時、ステム部７２の凹部７４はモジュール式ネック部８０の先細嵌め込み部品８２と係合し、モジュール式大腿骨ヘッド部８４の凹部８８はモジュール式ネック部８０の大腿骨頭嵌め込み部品２６と係合する。モジュール式大腿骨ヘッド部８４は、ネック部８０と大腿骨ヘッド部８４との間の回転運動を防止するために、ネック部８０の回転防止形体（大腿骨頭嵌め込み部品２６のキー８５として示される）と係合するための別の任意の回転防止形体（溝８７として示される）を含む。さらに、ネック部８０は、ネック部８０とステム部７２との間の回転運動を防止するために、ステム部７２の回転防止形体（凹部７４の溝８３として示される）と係合するための別の任意の回転防止形体（先細嵌め込み部８２のキー８１として示される）を含む。または、上記のコンポーネントの各々が回転防止のためにその間に卵形係合形状を備えることができる。
【００３９】
ステム部７２は解剖学上の内側／外側平面９１を形成し、ネック部８０は中心長手軸７９を形成し、モジュール式大腿骨ヘッド部８４は中心軸を形成する。股関節ステム９０に適切な角度の前傾が含まれるようにするために外科医が任意の組合せのモジュール式コンポーネントを選択できると有利である。例えば、図１６、１７に示すように、モジュール式大腿骨ヘッド部８４を長手軸７９に対して前方に角度α傾斜させることができる。すなわち、大腿骨ヘッド部８４の中心軸８６は軸７９との間に角度αを成す。また、上述のネック部８０ａ、８０ｂ、８０ｃ、と同様、ネック部８０を、内側／外側平面７６に対して前方に角度β傾斜させることができる。すなわち、ネック部８０の中心軸７９は軸７６との間に角度βを成す。角度αは約１°から２５°またはそれ以上までの間から選択できる。特に、例えば１３°、１４°または１６°程度の小さい角度及び２１°、２３°または２５°程度の大きい角度またはその間の任意の角度を持つことができる。角度βは約１°から２５°またはそれ以上までの間から選択できる。特に、例えば１３°、１４°または１６°程度の小さい角度及び２１°、２３°または２５°程度の大きい角度またはその間の任意の角度を持つことができる。
【００４０】
多くの女性患者を含めて一部の患者の大腿骨頸と大腿骨幹との間の角度は、一般に、比較的外反である男性の大腿骨の骨頸と骨幹との間の角度より内反的である。既知の股関節ステムは、特定の女性患者において最適の成果を上げるような充分に内反の頸／幹角度（ neck/shaft angle ）を持つ形状ではない。また、脚の長さを長くする必要なくもっと内反の頸／幹を持つ股関節ステムを納めるためには、男性患者の場合より女性患者の場合のほうが大腿骨の骨幹端のより大きな部分を切除する必要がある。特に、一部の女性の場合、小転子付近において骨が切除される。その結果、男性患者に比べて多くの女性患者においては股関節ステムの固定のために利用可能な骨幹端が小さくなり、それにより、女性患者における股関節ステムの骨幹固定の重要性が増す。
【００４１】
図１８を参照すると、下に説明することを除いて上述の股関節ステム２０（図１〜５）と実質的に同様の股関節ステム１００のいくつかの実施形態が示されている。各股関節ステム１００は、一体的なステム部２２及びネック部１０４を含む。股関節ステム１００はステム部２２を通過する中心長手軸１０６を形成し、中心長手軸１０２を有するネック部１０４を含む。中心長手軸１０６と各中心長手軸１０２はその間に角度を成す。患者の解剖学的構造に応じてこの角度を選択することができる。例えば、図１８において実線で示されるネック部１０４ａは、軸１０６との間に約１１０°の角度を成す中心長手軸１０２ａを持つことができる。もっと外反の頸／幹角度が求められる場合、外科医は、軸１０６との間に約１２０°の角度を成す中心長手軸１０２ｂを有するネック部１０４ｂを含む、図１８に点線で示される股関節ステム１００ｂを選択することができる。または、もっと外反ではない（もっと内反の）頸／幹角度が求められる場合、外科医は、軸１０６との間に約９０°の角度を成す中心長手軸１０２ｃを有するネック部１０４ｃを含む、図１８において点線で示される股関節ステム１００ｃを選択することができる。様々な頸／幹角度を有する股関節ステムシステム１００において、特定の患者の解剖学的構造に一致する頸／幹角度を有する特定の股関節ステムを選択することができる。このようなシステムにおいて、頸／幹角度は約９０°から約１４５°までの範囲を持つことができ、特に、例えば９０°、１１０°または１２０°程度の小さい角度または前記の数値の間の任意の増分の角度を持つことができる。股関節インプラントシステムの脚の長さを増大することなくもっと内反の方位を持つように股関節ステム１００を選択することができると有利である。股関節ステム１００は、一部の女性患者において最適の成果を上げるために外科医が様々な頸／幹角度を持つ充分な変動範囲の股関節ステムの中から選択できるようにする。
【００４２】
図１９を参照すると、モジュール式股関節ステムシステムは、下に説明することを除いて上述の股関節ステム２０（図１〜５）と実質的に同様の股関節ステム１１０を含む。股関節ステム１１０は、ステム部１１２及び、各々ステム部１１２の近位端１１８の先細凹部１１４に噛み合い係合するための先細嵌め込み部品１２２及びモジュール式大腿骨ヘッド部を受けるための大腿骨嵌め込み部品２６を有する複数のモジュール式ネック部１２０を含むことができる。各ネック部１２０は、各ネック部１２０とステム部１１２との間の回転運動を防止するために、ステム部１１２の回転防止形体（凹部１１４の溝１１９として図示されている）と係合するための別の任意の回転防止形体（先細嵌め込み部品１２２のキー１２１として図示されている）を含む。または、各ネック部１２０及びステム部１１２は、回転防止のために卵形係合形状を備えることができる。各モジュール式ネック部１２０はステム部１１２の中心長手軸１１１との間に角度を成す中心長手軸１１６を形成する。１つの実施形態において、モジュール式ネック部１２０ａは軸１１１との間に約１１０°の角度を成す中心長手軸１１６ａを持つことができる。
【００４３】
外科医がもっと大きい頸／幹角度を求める場合、軸１１１との間に約１２０°の角度を成しかつ中心長手軸１１６ａとの間に約１０°の角度を成す（すなわち、モジュール式ネック部１２０ａから頸／幹角度が＋１０°変化する）中心長手軸１１６ｂを形成するモジュール式ネック部１２０ｂを選択することができる。外科医がもっと小さい頸／幹角度を求める場合、軸１１１との間に約９０°の角度及び中心長手軸１１６ａとの間に約２０°の角度を成す（すなわち、モジュール式ネック部１２０ａから頸／幹角度が−２０°変化する）中心長手軸１１６ｃを形成するモジュール式ネック部１２０ｃを選択することができる。特定の患者の内反／外反の解剖学的構造に応じて様々な値の頸／幹角度を選択することができる。例えば、頸／幹角度は約９０°から約１４５°までの範囲を持つことができ、特に、例えば９０°、１１０°または１２０°またはその間の任意の増分の角度を持つことができる。股関節ステム１１０は、特定の女性患者において最適の成果を上げるために頸／幹角度を変動させるために、外科医が多様なモジュール式ネック部の中から選択できるようにするので有利である。
【００４４】
本発明の発明者は、特定の患者特に女性患者が加齢するにつれて、一般に、近位大腿骨の骨幹端及び骨幹の骨皮質が、特に小転子の高さから下方に、薄くなることを発見した。骨幹端及び骨幹の皮質が薄くなると、それぞれ骨幹端においては皮質が「ストーブパイプ」形になり、骨幹においては骨髄内管が著しく広くなる。これらの影響は、骨粗しょう症を患う女性においてさらに顕著であり、その結果、さらに皮質は薄くなり、その結果骨髄内管は広くなり、特に近位骨幹の骨貯蔵量（ bone stock ）が減少する。
【００４５】
セメントを含まないプロテーゼが使用される場合、特定の患者特に高齢女性患者の骨髄内管は広くなっているので、骨髄内管をより完璧に充填し、初期固定を可能にするためにより広い股関節ステムを使用する傾向を強める。多くの既存の股関節ステムにおいて幅が増せば剛性が増すので、剛性を増したより広い股関節ステムを使用すれば、股関節ステムの周りに応力遮蔽が生じる可能性がある。コア、ポリマーマトリクス中間層及び多孔性金属外層を含む本出願において説明される股関節ステムは、皮質骨の剛性率により近い剛性率を持つので有利である。これにより、コア及び多孔性金属コーティングしか持たない既知のもっと剛性の股関節ステムとは違い、股関節ステムと大腿骨との間の相対的動きを最小限に抑えることができ、より大きい負荷が皮質骨に配分されて、応力遮断の可能性を小さくする。
【００４６】
さらに、本発明の発明者は、女性の場合、側方Ｘ線で見ると内側／外側平面におけるより前側／後側平面において骨髄内管はより広くなる傾向を持つ。これは、一般に骨幹の後部骨皮質を薄くさせる骨粗しょう症を患う女性の場合に特に当てはまる。このように、骨髄内管の前側／後側直径と内側／外側直径が等しくない場合、実質的に円筒形である既知の股関節ステムは骨幹の中で最適な固定を得られない。
【００４７】
図２０を参照すると、下に説明することを除いて、図１〜５に示され上で説明した股関節ステム２０と実質的に同様の股関節ステム１３０の一部が示されている。股関節ステム１３０は、コア３６、ポリマーマトリクス層３８及び多孔性金属層４０を持つステム部１３５を含むことができる。ステム部１３５はさらに第一の非膨張状態と第二の膨張状態との間で作動可能な遠位端固定メカニズムを含むことができる。遠位端固定メカニズムは、例えばスリット、ヒンジまたは弱体化エリアなど複数の膨張点１４０を多孔性金属層４０に含むことができる。膨張点は複数の半径方向に膨張可能な部分１３８を形成する。遠位端固定メカニズムは、またシャフト１３４の雄ネジ（ネジ切り端）１４６と噛み合い係合するための雌ネジ（ネジ切り開口）１４９を有する起動部材１４８も含むことができる。シャフト１３４を股関節ステム１３０の永久的部品とすることができ、コア６の貫通穴１３２内に回転可能であるように配置することができる。シャフト１３４は、シャフト１３４に回転運動を与えるためのアクチュエータ装置１３９（図２１）と係合するための六角嵌め合い部品など適切な工具係合構造を有する近位端１３７を含む。
【００４８】
図２１を参照すると、手術中、まず股関節ステム１３０を準備済み大腿骨１４４の骨髄内管１４５に埋め込んだ後、シャフト１３４の雄ネジ１４６を起動部材１４８の雌ネジ１４９の中へねじ込むためにアクチュエータ装置１３９によりシャフト１３４を矢印Ａの方向に回転させることができる。シャフト１３４の回転及び起動部材１４８の雌ネジ１４９の中へシャフトの雄ネジ１４６をねじ込むと、股関節ステム１３０の遠位端１３３に向かって矢印Ｂの全体的方向に起動部材１４８を移動させる。矢印Ｂの方向に起動部材１４８が移動すると、起動部材１４８は、コア３６の突合せ部１３６により与えられる固定反応面に多孔性金属層４０の膨張可能部１３８を押し付け、それにより多孔性金属層４０の膨張点１４０を変形させて、膨張可能部１３８を第一の非膨張状態から第二の膨張状態へ半径方向に膨張させる。複数の半径方向に膨張可能な部分１３８は股関節ステム１３０を広げて、骨髄内管の隙間１４２（図２０）を実質的に満たし、それにより、大腿骨１４４の骨幹における股関節ステム１３０の遠位端固定を強化する。
【００４９】
シャフト１３４の回転量により膨張可能部１３８の膨張の程度を制御することができる。例えば、１つの実施形態において、アクチュエータ装置によるシャフト１３４の半回転すなわち１８０°の回転は、大腿骨１４４の骨髄内管が股関節ステム１３０より僅かしか広くない場合、初期固定を与えるために多少の膨張を膨張可能部１３８に与える。１つの実施形態において、シャフト１３４の２回転すなわち７２０°の回転は、大腿骨１４４の骨髄内管が股関節ステム１３０よりかなり広い場合、初期固定を与えるために最大膨張を膨張可能部１３８に与える。この場合、起動部材１４８の表面１４３が股関節ステム１３０の遠位端１３３に接して起動部材１４８の移動を制限するまでシャフト１３４を回転させる。このようにして、シャフト１３４に与えられる回転量は、外科医が膨張可能部１３８を適切な量だけ膨張させて、股関節ステム１３０を骨幹に適切に固定させることができるようにする。Ｘ線またはその他の映像化により適切に固定されているかどうかを確認できる。１つの実施形態において、膨張点１４０は、半径方向に膨張せずに矢印Ｂの方向に多孔性金属層４０がつぶれる代わりに、多孔性金属層４０が半径方向に外向きに動き易くするためにスライド強化要素例えばプラスチックシートを含むことができる。第一の非膨張状態の膨張可能部１３８は股関節ステムのオリジナルの断面形状を形成するので有利である。埋め込み後、膨張可能部１３９の変形は、股関節ステムがその遠位部においてより大きな断面形状を持てるようにし、大腿骨における股関節ステムの骨幹固定を強化するので有利である。
【００５０】
図２２及び２３を参照すると、下に説明することを除いて、図１〜５に図示される股関節ステム２０及び図２０、２１に示される股関節ステム１３０と実質的に同様の股関節ステム１５０の一部が示されている。股関節ステム１５０は、大腿骨１４４の骨幹における股関節ステム１５０の遠位固定を強化するために遠位端１５２付近において股関節ステム１５０を広げ易くする膨張可能構造１５５を有する遠位端固定メカニズムを含むことができる。コア３６は中央貫通穴１５４を備えることができる。コア３６、ポリマーマトリクス層３８及び多孔性金属層４０は、貫通穴１５４内の充填材が膨張可能構造１５５の中へ移動できるようにする複数の通路１５３を含むことができる。通路１５３は水平向きに図示されているが、貫通穴１５４から膨張可能構造１５５の中への充填材の流れを容易にするために、通路１５３を斜めまたはその他の向きにすることができる。膨張可能構造１５５への充填材１５６の流れを調整するために、任意の数の通路１５３を配置することができ、また、通路１５３の幅を変動させることができる。図２２に示すように、大腿骨１４４の骨髄内管１４５内での膨張前に、膨張可能構造１５５は実質的に平らで未膨張のままであり、股関節ステム１５０の全径をあまり増大させていない。または、膨張可能構造１５５が股関節ステム１５０の全径を増大させないように膨張可能構造１５５を股関節ステム１５０の多孔性金属コーティング４０の凹部内部に配置することができる。
【００５１】
図２３に示すように、充填材１５６例えば骨セメントまたはポリメチルメタクリレート（ＰＭＭＡ）をチューブまたはその他の適切な送給装置により矢印Ｃの方向に貫通穴１５４の中へ導入すると、充填材１５６は通路１５３の中へ移動して、膨張可能構造１５５を満たす。膨張可能構造１５５の膨張は股関節ステム１５０の遠位端１５２を広げ、股関節ステム１５０と大腿骨４４の骨髄内管との間の空隙１４２を実質的に満たす。充填材供給装置は、遠位方向で中心貫通穴１５４を、従って通路１５３及び膨張可能構造１５５を満たしながら、中心の貫通穴１５４から近位方向に徐々に移動されて、要求される膨張状態まで膨張可能構造１５５を完全に充填できるようにする。２００５年１０月１４日に提出された「大腿骨骨折を整復するための方法及び装置」と題する米国特許出願第11/250,927号（本出願の譲受人に譲渡され、その開示は参照により本出願に組み込まれる）において説明される人工インプラントに使用される材料など適切な生体適合性材料で膨張可能構造１５５を形成することができる。
【００５２】
一部の実施形態において、例えば股関節ステム１５０の通路１５３の数、相対的位置及び相対的断面積を変動させることにより、膨張可能構造１５５を股関節ステム１５０の円周の周りで非均等に膨張させることができる。これにより、例えば骨髄内管の前側／後側平面の幅が骨髄内管の内側／外側平面の幅を上回る場合がある骨粗しょう症を患う女性の体内で最適に固定できるようにするために、股関節ステム１５０を内側／外側平面におけるより前側／後側平面においてより膨張させることができるので、股関節ステム１５０を骨幹により最適に固定させることができる。上述の通り、女性の骨粗しょう症は、一般に骨幹の後部皮質を薄くする。非均等に膨張する能力、特に内側、外側または前方より後方にさらに膨張できる能力により、股関節ステム１５０を最適に固定できる。
【００５３】
全股関節形成手術において、人工寛骨臼カップコンポーネントが骨盤の内側壁前方の患者の寛骨臼内部に納められる。特定の患者の場合、寛骨臼カップの半球部の周りに比較的均等に配分されずに、大腿骨プロテーゼからの負荷が主に寛骨臼カップの縁の周りの骨盤に伝えられる場合がある。その結果、寛骨臼カップの半球部の周りに応力遮断を生じる可能性がある。寛骨臼の半球部の周りの骨の応力遮断は寛骨臼後方の骨盤の内側壁において骨の吸収を生じて、その結果骨盤の内側壁の中へ寛骨臼カップが移動する可能性がある。発明者は女性患者においてはほとんどの男性の場合より骨盤の内側壁が薄いことを発見した。
【００５４】
図２４を参照すると、半球関節表面１６８を含めて例えば超高分子量ポリエチレンで作られるライナ１６６を含む可撓性寛骨臼カップ１６０が示されている。ライナ１６６は多孔性金属カップ部１７０内部に嵌めこまれる。チタンファイバの金網または金属ビーズマトリクス体から多孔性金属カップ部を作るか、またはこれをインディアナ州ウォルソーのZimmer, Inc.から入手可能なTrabecular Metal（登録商標）技術に従って製造される多孔性金属層とすることができる。カップ部１７０の縁及び半球部の両方の周りに寛骨臼負荷をもっと均等に配分し、応力遮断の可能性を小さくし、骨盤１６２の内側壁１６３の中への寛骨臼カップ１６０の移動の可能性を小さくするために、カップ部１７０を比較的薄く作るか、または図２４において点線１７２で表される通りカップ部１７０が全体に可撓性であるように逃げ溝（リリーフスリット）を含むことができる。
【００５５】
図２５を参照すると、例えば超高分子量ポリエチレンで作られるライナ１８２、上述の股関節ステム２０の中間層と同様のポリマーマトリクスの中間層１８４（不活性ポリアリルエーテルケトン（ＰＡＥＫ）ポリマー例えばポリエーテルエーテルケトン（ＰＥＥＫ）で作ることができる）、及び多孔性金属層１８６（チタンファイバの金網または金属ビーズマトリクス体で作るかまたは例えばインディアナ州ウォルソーのZimmer, Inc.から入手可能なTrabecular Metal（登録商標）技術に従って製造される多孔性金属層とすることができる）を含む、別の実施形態に従った寛骨臼カップ１８０が示されている。ライナ１８２は、本出願において説明される各種の股関節ステムなど股関節ステムの大腿骨頭コンポーネントを関節式に受けるための半球形座面１８８を含む。多孔性金属層１８６は、寛骨臼カップ１８０を周囲の寛骨臼の骨の中に統合できるようにする。ポリマーマトリクス層１８４の存在により、ライナ１８２と多孔性金属層１８６との間の屈曲運動が既知の寛骨臼カップの剛性より骨の剛性により近い剛性を寛骨臼カップに与えられるので、有利である。このようにして、股関節ステムの大腿骨頭コンポーネントからの荷重は、カップの半球部の周りにさらに周囲の寛骨臼の骨に均等に配分されるので、応力遮断の可能性を小さくし、応力遮断の結果生じる骨盤の内側壁の中へのカップの移動を小さくする。
【００５６】
図２６を参照すると、一般に例えば超高分子量ポリエチレンで作られるライナ１９２及び多孔性金属層１９４（チタンファイバの金網であるかまたは例えばインディアナ州ウォルソーのZimmer, Inc.から入手可能なTrabecular Metal（登録商標）に従って製造される多孔性金属構造とすることができる）を含む別の実施形態に従った寛骨臼カップ１９０が示されている。ライナ１９２は、本出願において説明される各種の股関節ステムなど股関節ステムの大腿骨頭コンポーネントを関節式に受けるための半球形座面１９６を含む。多孔性金属層１９４は、寛骨臼カップ１９０を周囲の寛骨臼の骨の中に統合できるようにし、さらに寛骨臼に荷重を伝えるために周囲の寛骨臼の骨に当接する多孔性金属層１９４の外側半球部分の周りに配置される負荷リブ１９８を含むので有利である。その結果、股関節ステムの大腿骨頭コンポーネントからの荷重がカップの半球部の周りにさらに周囲の寛骨臼の骨により均等に配分されるので、応力遮断の可能性を小さくし、応力遮断の結果生じる骨盤の内側壁の中へのカップの移動を小さくする。
【００５７】
図２７を参照すると、下に説明することを除いて図１〜５に示され上で説明した股関節ステム２０と同様の本発明のさらに別の実施形態に従った股関節ステム２００が示されている。股関節ステム２００は一般に近位端２８及び遠位端３０を含み、近位端２８は股関節ステム２０の近位端と同様に構成されて、股関節ステム２０に関して上で説明した通り股関節ステム２００の近位端２８はコア３６、ポリマーマトリクス層３８及び多孔性金属層４０を含む。ただし、股関節ステム２００の遠位端３０はコア３６及び多孔性金属層４０のみを含み、ポリマーマトリクス層３８を含まない。このように、股関節ステム２００の遠位端３０は、大腿骨の骨幹における股関節ステム２００の遠位端３０の初期固定を容易にするために股関節ステム２００の近位端より高い剛性を持つ。この場合、股関節ステム２００の近位端２８は既知の股関節ステムより自然の骨の剛性により近い剛性を持ち、それにより股関節ステム２００の近位端の周りの骨幹端の周囲骨に負荷を伝えて、応力遮断の可能性を小さくする。上述の通り、一部の女性患者など特定の患者においては、骨幹端の皮質が薄くなるだけでなく、全股関節形成時により広い範囲の大腿骨の骨幹端を切除しなければならず、その結果固定のために利用できる残留骨幹端が少なくなる。従って、この種の手術の場合、股関節ステム２００は、大腿骨の骨幹における初期固定を強化するための比較的剛性の遠位端３０及び大腿骨の骨幹端における応力遮断及び骨吸収を防止するために比較的可撓性の近位端２８を含むので有利である。
【００５８】
図２８、図２９を参照すると、それぞれさらに別の実施形態に従った股関節ステム２１０の前面図及び側面図が示されている。近位大腿骨に対して股関節ステム２１０の形体を示すために、図２８、図２９において、股関節ステム２１０は幽霊線で示される近位大腿骨“Ｆ”に重ねて示されている。股関節ステム２１０は、例えば高齢の女性患者などの患者に特に有益である。この種の患者の近位大腿骨は、図２８に示されるように骨幹及び骨幹端の薄くなった皮質“Ｃ”を特徴とし、おそらく骨幹端の内側皮質及び後部皮質が完全に失われて、その結果図２８に示されるような骨髄内管のストーブパイプ形になりかつ骨幹の骨髄内管が薄くなる。図２８、図２９において大転子“ＧＴ”、小転子“ＬＴ”、大腿骨頸“Ｆ”及び大腿骨頭“ＦＨ” を含む近位大腿骨に対する股関節ステム２１０の形体を示すために、近位大腿骨の解剖学的形体が想像線で示されているが、大腿骨頸及び大腿骨頭並びに大転子の一部は、大腿骨の準備済み骨髄内管の中に股関節ステム２１０を挿入できるようにするために全股関節形成手術時に切除されるものと理解される。
【００５９】
股関節ステム２１０は一般に近位部または骨幹端部２１２及び遠位部または骨幹部２１４を含む。図１〜５に関連して上で説明した股関節ステム２０と同様に股関節ステム２１０を構成することができ、股関節ステム２１０は、コア３６、コアの少なくとも一部を被覆するポリマーマトリクス層（図示せず）及びポリマーマトリクス層を被覆する上述のような多孔性金属層４０または砂ブラスト層を含むことができる。股関節ステム２１０の近位部２１２は、ステージライン２１６（一般に小転子の頂点から１５ｍｍ）から小転子の底部のライン２２０まで測定される長さ寸法Ｄ1を持ち、この寸法は、例えば３０ｍｍまたは３５ｍｍ程度の小さい長さから４０ｍｍまたは４５ｍｍ程度の大きい長さまでまたはその間の任意の長さである。図２８に示すように、ステム２１０の近位部２１２は、図２８の前面／後面図で見るとき多くの既知の股関節ステムのように台形ではなく、内側に湾曲し補完的丸味を帯びる外側２２２及び内側２２４を含む「グースネック（ガチョウの首）」形状を持つ。特に、大転子に触れずにかつ骨切除後残っている大転子のどの部分にも負荷を与えないようにするために、外側２２２は内側に湾曲する。図２９の側面図を見ると、股関節ステム２１０の近位部２１２は、股関節ステム２１０の近位端に近づくにつれて前方向及び後方向に僅かに例えば１ｍｍから２ｍｍ外向きに広がる前面２２６及び後面２２８を含むフレア形を有する。
【００６０】
股関節ステム２１０の近位部２１２のネック部及び大腿骨ヘッド部（図示せず）を股関節ステム２１０と一体的に形成することができ、図１２及び１８に関連して上で説明した他の股関節ステムと同様に要求される前傾／後傾及び内反／外反角度で整列することができる。または、股関節ステム２１０のネック部及び大腿骨ヘッド部を、図１３〜１７及び１９を参照して上で説明したように要求される前傾／後傾及び内反／外反角度を与えるために１つまたはそれ以上のモジュール式コンポーネントとしてこれを構成することができる。
【００６１】
股関節ステム２１０の遠位部２１４は円形または台形の断面を持つことができ、遠位部２１４が骨幹狭部の皮質と係合できるようにするために既知の股関節ステムに比べて細長く、小転子中心線２２１から股関節ステム２１０の遠位端２３０までを測った長さ寸法Ｄ2を持つ。この長さは、例えば１００ｍｍ、１０５ｍｍまたは１２５ｍｍ程度の小さい長さ及び１２５ｍｍ、１３０ｍｍまたは１３５ｍｍ程度の大きい長さまたはその間の任意の長さである。特定の患者、特に高齢の女性患者（骨髄内管の前側／後側寸法及び内側／外側寸法が多少広くなっている）の骨髄内管内部に適切に嵌めるために、遠位端２３０付近において、内側−外側間で測定される股関節ステム２１０の幅寸法Ｄ3は１０ｍｍから１８ｍｍまで変動可能であり、図２９に示されるように、前側−後側間で測定される股関節ステム２１０の幅寸法Ｄ4を寸法Ｄ3より１ｍｍまたはそれ以上大きくすることができる。すなわち寸法Ｄ4は１１ｍｍから１９ｍｍまで変動可能である。
【００６２】
さらに、股関節ステム２１０の遠位部２１４は、遠位端２３０から股関節ステム２１０の近位部２１２に向かって内向きに、任意に小転子の底部の線２２０まで伸びる細長いブラインドキャビティ２３２を含む、実質的に中空の構造を持つことができる。キャビティ２３２は股関節ステム２１０の遠位部２１４が屈曲できるようにするので、股関節ステム２１０の遠位部２１４の剛性率は股関節ステム２１０の周囲の大腿骨の剛性率により近づいて、股関節ステム２１０の遠位部２１４の周りの応力遮蔽を防止するのに役立つ。または、股関節ステム２１０の遠位部２１４の周りの大腿骨の剛性率により近い剛性率を与えるために、本出願において開示される他の股関節ステムと同様のコア／ポリマーマトリクス／多孔性外側層構造を含むように股関節ステム２１０の遠位部２１４を構成することができる。さらに別の実施形態において、股関節ステム２１０の遠位部２１４はその剛性率を減少するために複数の溝、スロープまたはその他の弱体化をその中に含むことができる。
【００６３】
本開示は模範的設計を持つものとして説明されているが、本開示の精神及び範囲内でさらに本開示を修正することができる。従って、本出願はその一般的原理を用いる本開示の変形、使用法または適合を包括することを意図している。さらに、本出願は、本開示が属する技術分野において既知のことまたは慣行でありかつ特許請求の範囲の限度内に属する本開示からの逸脱を包括することを意図している。
【図１】
2014014652.tif 000003
【図２】
2014014652.tif 000004
【図３】
2014014652.tif 000005
【図４】
2014014652.tif 000006
【図５】
2014014652.tif 000007
【図６】
2014014652.tif 000008
【図７】
2014014652.tif 000009
【図８】
2014014652.tif 000010
【図９】
2014014652.tif 000011
【図１０】
2014014652.tif 000012
【図１１】
2014014652.tif 000013
【図１２】
2014014652.tif 000014
【図１３】
2014014652.tif 000015
【図１４】
2014014652.tif 000016
【図１５】
2014014652.tif 000017
【図１６】
2014014652.tif 000018
【図１７】
2014014652.tif 000019
【図１８】
2014014652.tif 000020
【図１９】
2014014652.tif 000021
【図２０】
2014014652.tif 000022
【図２１】
2014014652.tif 000023
【図２２】
2014014652.tif 000024
【図２３】
2014014652.tif 000025
【図２４】
2014014652.tif 000026
【図２５】
2014014652.tif 000027
【図２６】
2014014652.tif 000028
【図２７】
2014014652.tif 000029
【図２８】
2014014652.tif 000030
【図２９】
2014014652.tif 000031
【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
近位端（２８）がコア（３６）、該コアの少なくとも一部を被覆するポリマーマトリクス層（３８）及び該ポリマーマトリクス層を実質的に被覆する多孔性金属層（４０）を含み、遠位端（３０）がコア（３６）及び該コアを実質的に被覆する多孔性金属層（４０）を含むことを特徴とする、人工股関節ステム（２００）。
【請求項２】
前記遠位端は、前記コアと前記多孔性金属層の間のポリマーマトリクス層（３８）を含まないことを特徴とする、請求項１に記載の人工股関節ステム。
【請求項３】
前記コアは、コバルト・クロム・モリブデン合金またはチタン合金から作られることを特徴とする、請求項１に記載の人工股関節ステム。
【請求項４】
前記ポリマーマトリクス層は、不活性ポリアリルエーテルケトンポリマーから作られることを特徴とする、請求項１に記載の人工股関節ステム。
【請求項５】
前記多孔性金属層は、Trabecular Metalの多孔性金属構造から成ることを特徴とする、請求項１に記載の人工股関節ステム。
【請求項６】
前記ポリマーマトリクス層は、射出成形された層であることを特徴とする、請求項１に記載の人工股関節ステム。
【請求項７】
前記コアは、前記ポリマーマトリクス層が凹状形体の中へ延びる凹状形体を含み、これにより前記コアと前記ポリマーマトリクス層との間の機械的相互接続を強化することを特徴とする、請求項６に記載の人工股関節ステム。
【請求項８】
前記コアは、前記ポリマーマトリクス層の中へ延びる凸状形体を含み、これにより前記コアと前記ポリマーマトリクス層との間の機械的相互接続を強化することを特徴とする、請求項６に記載の人工股関節ステム。
【請求項９】
前記遠位端（３）は、前記コアに直接的に結合された多孔性金属層を含むことを特徴とする、請求項１に記載の人工股関節ステム。
【請求項１０】
前記近位端（２８）と前記遠位端（３０）を備えるステム部（２２）であり、前記ステム部は内側／外側平面（６１、７６）を形成するステム部（２２）と、
前記近位端から延びるネック部（２４）と、を含み
前記ネック部は、長手軸（６８、７９）に沿って、前記内側／外側平面に対して前方に１３°と２５°の間の第１角度で方向付けられていることを特徴とする、請求項１に記載の人工股関節ステム。
【請求項１１】
前記第１角度は、２１°から２５°の間であることを特徴とする、請求項１０に記載の人工股関節ステム。
【請求項１２】
前記ネック部は、前記ステム部と一体的に形成されることを特徴とする、請求項１０に記載の人工股関節ステム。
【外国語明細書】
2014014652000001.pdf